(57)【要約】【課題】  カメラメモ機能と通信機能を用いることにより、カメラメモ情報に依存した静止画ファイルの分類を自動的に行い、ユーザーによるカメラメモ分類の効率化を図る。【解決手段】  カメラメモ情報に対応したメール送信宛先情報をカメラに事前に登録する手段と、メール送信する静止画ファイルを選択する手段と、メール送信する静止画ファイルにカメラメモ情報が添付されているかを判定する手段と、カメラメモ情報が添付されているときは、先に登録されているカメラメモ情報に対応したメール送信宛先情報を検索する手段と、カメラメモ情報に該当したメール送信宛先情報が存在するときは、該当するメール送信宛先に対して静止画ファイルを１添付ファイルとしてメール送信する手段と、メール送信する静止画ファイルが複数選択されたときは、カメラメモ情報が添付されているかの判定処理からメール送信ファイルを全て送信完了するまで繰り返す手段とを有する。【選択図】  図５
2006252472.tif 000002
【特許請求の範囲】
【請求項１】
カメラメモ機能によりカメラメモ情報が添付された静止画ファイルをネットワークを介して受信側のコンピュータにメールの添付ファイルとして転送するデジタルカメラ装置の通信転送装置であって、
前記カメラメモ情報に対応したメール送信宛先情報を前記カメラ装置に事前に登録する手段と、
メール送信する静止画ファイルを選択する手段と、
メール送信する静止画ファイルにカメラメモ情報が添付されているかを判定する手段と、
カメラメモ情報が添付されているときは、先に登録されているカメラメモ情報に対応したメール送信宛先情報を検索する手段と、
カメラメモ情報に該当したメール送信宛先情報が存在するときは、該当するメール送信宛先に対して静止画ファイルを１添付ファイルとしてメール送信する手段と、
メール送信する静止画ファイルが複数選択されたときは、カメラメモ情報が添付されているかの判定処理からメール送信ファイルを全て送信完了するまで繰り返す手段とを有することを特徴とするデジタルカメラ装置の通信転送装置。
【請求項２】
カメラメモ機能によりカメラメモ情報が添付された静止画ファイルをネットワークを介して受信側のコンピュータにメールの添付ファイルとして転送するデジタルカメラ装置の通信転送装置であって、
前記カメラメモ情報に対応したメール送信宛先情報を前記カメラ装置に事前に登録する手段と、
メール送信する静止画ファイルを選択する手段と、
メール送信する静止画ファイルにカメラメモ情報が添付されているかを判定する手段と、
カメラメモ情報が添付されているときは、カメラメモ情報を読込み、先に登録されているカメラメモ情報に対応したメール送信宛先情報を検索する手段と、
カメラメモ情報に該当したメール送信宛先情報が存在するときは、その情報をメモリに格納する手段と、
メール送信する静止画ファイルが複数選択されたときは、カメラメモ情報が添付されているかの判定処理からカメラメモ情報に対応したメール送信宛先情報を検索する処理を繰り返す手段と、
全ての静止画ファイルの検索処理が完了したとき、該当するメール送信宛先が同じ場合は、複数の静止画ファイルを１メール複数添付ファイルの形式としてメール送信を送信メールが完了するまで繰り返す手段とを有することを特徴とするデジタルカメラ装置の通信転送装置。
【請求項３】
カメラメモ機能によりカメラメモ情報が添付された静止画ファイルをネットワークを介して受信側のコンピュータにメールの添付ファイルとして転送するデジタルカメラ装置の通信転送装置であって、
前記カメラメモ情報に対応した分類情報を前記カメラ装置に事前に登録する手段と、
メール送信する静止画ファイルを選択する手段と、
メール送信する静止画ファイルにカメラメモ情報が添付されているかを判定する手段と、
カメラメモ情報が添付されているときは、カメラメモ情報を読込み、先に登録されているカメラメモ情報に対応した分類情報を検索する手段と、
カメラメモ情報に該当した分類情報が存在するとき、その情報をメモリに格納する手段と、
メール送信する静止画ファイルが複数選択されたときは、カメラメモ情報が添付されているかの判定処理からカメラメモ情報に対応した分類情報を検索する処理を繰り返す手段と、
全ての静止画ファイルの検索処理が完了したとき、該当する分類情報が同じ場合は、複数の静止画ファイルを１メール複数添付ファイルの形式として同一宛先のメール送信を送信メールが完了するまで繰り返す手段とを有することを特徴とするデジタルカメラ装置の通信転送装置。
【請求項４】
カメラメモ機能によりカメラメモ情報が添付された静止画ファイルをネットワークを介して受信側のコンピュータにＦＴＰ転送するデジタルカメラ装置の通信転送装置であって、
前記カメラメモ情報に対応したＦＴＰサーバー送信先情報を前記カメラ装置に事前に登録する手段と、
ＦＴＰ送信する静止画ファイルを選択する手段と、
ＦＴＰ送信する静止画ファイルにカメラメモ情報が添付されているかを判定する手段と、
カメラメモ情報が添付されているときは、カメラメモ情報を読込み、先に登録されているカメラメモ情報に対応したＦＴＰサーバー送信先情報を検索する手段と、
カメラメモ情報に該当したＦＴＰサーバー名情報が存在するとき、該当するＦＴＰサーバー送信先にＦＴＰ送信する手段と、
ＦＴＰ送信する静止画ファイルが複数選択されたときは、カメラメモ情報が添付されているかの判定処理からＦＴＰ送信ファイルを全て送信完了するまで繰り返す手段とを有することを特徴とするデジタルカメラ装置の通信転送装置。
【請求項５】
カメラメモ機能によりカメラメモ情報が添付された静止画ファイルをネットワークを介して受信側のコンピュータにＦＴＰ転送するデジタルカメラ装置の通信転送装置であって、
前記カメラメモ情報に対応したＦＴＰディレクトリー情報を前記カメラ装置に事前に登録する手段と、
ＦＴＰ送信する静止画ファイルを選択する手段と、
ＦＴＰ送信する静止画ファイルにカメラメモ情報が添付されているかを判定する手段と、
カメラメモ情報が添付されているときは、カメラメモ情報を読込み、先に登録されているカメラメモ情報に対応したＦＴＰディレクトリー情報を検索する手段と、
カメラメモ情報に該当したＦＴＰディレクトリー情報が存在するときは、その情報をメモリに格納する手段と、
ＦＴＰ送信する静止画ファイルが複数選択されたときは、カメラメモ情報が添付されているかの判定処理からカメラメモ情報に対応したＦＴＰディレクトリー情報を検索する処理を繰り返す手段とを有することを特徴とするデジタルカメラ装置の通信転送装置。
【請求項６】
カメラメモ機能によりカメラメモ情報が添付された静止画ファイルをネットワークを介して受信側のコンピュータにメールの添付ファイルとして転送するデジタルカメラ装置の通信転送方式であって、
前記カメラメモ情報に対応したメール送信宛先情報を前記カメラ装置に事前に登録するステップと、
メール送信する静止画ファイルを選択するステップと、
メール送信する静止画ファイルにカメラメモ情報が添付されているかを判定するステップと、
カメラメモ情報が添付されているときは、先に登録されているカメラメモ情報に対応したメール送信宛先情報を検索するステップと、
カメラメモ情報に該当したメール送信宛先情報が存在するときは、該当するメール送信宛先に静止画ファイルを１添付ファイルとしてメール送信するステップと、
メール送信する静止画ファイルが複数選択されたときは、カメラメモ情報が添付されているかの判定処理からメール送信ファイルを全て送信完了するまで繰り返すステップとを有することを特徴とするデジタルカメラ装置の通信転送方法。
【請求項７】
カメラメモ機能によりカメラメモ情報が添付された静止画ファイルをネットワークを介して受信側のコンピュータにメールの添付ファイルとして転送するデジタルカメラ装置の通信転送方法であって、
前記カメラメモ情報に対応したメール送信宛先情報を前記カメラ装置に事前に登録するステップと、
メール送信する静止画ファイルを選択するステップと、
メール送信する静止画ファイルにカメラメモ情報が添付されているかを判定するステップと、
カメラメモ情報が添付されているときは、カメラメモ情報を読込み、先に登録されているカメラメモ情報に対応したメール送信宛先情報を検索するステップと、
カメラメモ情報に該当したメール送信宛先情報が存在するときは、その情報をメモリに格納するステップと、
メール送信する静止画ファイルが複数選択されたときは、カメラメモ情報が添付されているかの判定処理からカメラメモ情報に対応したメール送信宛先情報を検索する処理を繰り返すステップと、
全ての静止画ファイルの検索処理が完了したとき、該当するメール送信宛先が同じ場合は、複数の静止画ファイルを１メール複数添付ファイルの形式としてメール送信を送信メールが完了するまで繰り返すステップとを有することを特徴とするデジタルカメラ装置の通信転送方法。
【請求項８】
カメラメモ機能によりカメラメモ情報が添付された静止画ファイルをネットワークを介して受信側のコンピュータにメールの添付ファイルとして転送するデジタルカメラ装置の通信転送方法であって、
前記カメラメモ情報に対応した分類情報を前記カメラ装置に事前に登録するステップと、
メール送信する静止画ファイルを選択するステップと、メール送信する静止画ファイルにカメラメモ情報が添付されているかを判定するステップと、
カメラメモ情報が添付されているときは、カメラメモ情報を読込み、先に登録されているカメラメモ情報に対応した分類情報を検索するステップと、
カメラメモ情報に該当した分類情報が存在するとき、その情報をメモリに格納するステップと、
メール送信する静止画ファイルが複数選択されたときは、カメラメモ情報が添付されているかの判定処理からカメラメモ情報に対応した分類情報を検索する処理を繰り返すステップと、
全ての静止画ファイルの検索処理が完了したとき、該当する分類情報が同じ場合は、複数の静止画ファイルを１メール複数添付ファイルの形式として同一宛先のメール送信を送信メールが完了するまで繰り返すステップとを有することを特徴とするデジタルカメラ装置の通信転送方法。
【請求項９】
カメラメモ機能によりカメラメモ情報が添付された静止画ファイルをネットワークを介して受信側のコンピュータにＦＴＰ転送するデジタルカメラ装置の通信転送方法であって、
前記カメラメモ情報に対応したＦＴＰサーバー送信先情報を前記カメラ装置に事前に登録するステップと、
ＦＴＰ信する静止画ファイルを選択するステップと、
ＦＴＰ送信する静止画ファイルにカメラメモ情報が添付されているかを判定するステップと、
カメラメモ情報が添付されているときは、カメラメモ情報を読込み、先に登録されているカメラメモ情報に対応したＦＴＰサーバー送信先情報を検索するステップと、
カメラメモ情報に該当したＦＴＰサーバー名情報が存在するとき、該当するＦＴＰサーバー送信先にＦＴＰ送信するステップと、
ＦＴＰ送信する静止画ファイルが複数選択されたときは、カメラメモ情報が添付されているかの判定処理からＦＴＰ送信ファイルを全て送信完了するまで繰り返すステップとを有することを特徴とするデジタルカメラ装置の通信転送方法。
【請求項１０】
カメラメモ機能によりカメラメモ情報が添付された静止画ファイルをネットワークを介して受信側のコンピュータにＦＴＰ転送するデジタルカメラ装置の通信転送方法であって、
前記カメラメモ情報に対応したＦＴＰディレクトリー情報を前記カメラ装置に事前に登録するステップと、
ＦＴＰ送信する静止画ファイルを選択するステップと、
ＦＴＰ送信する静止画ファイルにカメラメモ情報が添付されているかを判定するステップと、
カメラメモ情報が添付されているときは、カメラメモ情報を読込み、先に登録されているカメラメモ情報に対応したＦＴＰディレクトリー情報を検索するステップと、
カメラメモ情報に該当したＦＴＰディレクトリー情報が存在するとき、その情報をメモリに格納するステップと、
ＦＴＰ送信する静止画ファイルが複数選択されたときは、カメラメモ情報が添付されているかの判定処理からカメラメモ情報に対応したＦＴＰディレクトリー情報を検索する処理を繰り返すステップとを有することを特徴とするデジタルカメラ装置の通信転送方法。
【発明の詳細な説明】
【技術分野】
【０００１】
本発明は、デジタルカメラによって撮影した静止画をネットワークを介して受信側のコンピュータに転送するデジタルカメラ装置の通信転送装置及び通信転送方法に関する。
【背景技術】
【０００２】
デジタルカメラ装置の撮影方法として、様々な情報を撮影した画像と共に記録する方法が提案されている（例えば、特許文献１及び２参照）。また、画像と共に添付された情報は、パーソナルコンピュータ（ＰＣ）などに転送して、様々な後処理を行うための情報として利用される。さらに無線ＬＡＮカードや無線通信カードを用いインターネットに接続することにより、撮影した静止画ファイルを送信する機能を有するデジタルカメラ装置が開発されている。
【特許文献１】特開２００２−１５８９５３号公報
【特許文献２】特開２００１−６９４５４号公報
【発明の開示】
【発明が解決しようとする課題】
【０００３】
しかしながら、デジタルカメラ装置においては、静止画ファイルを受信側のＰＣに転送することが可能であっても、静止画フェイルを分類することができないものとなっている。このため、静止画ファイルの分類が煩雑となる不便さを有している。
【０００４】
本発明は、このような事情を考慮してなされたものであり、カメラメモ機能と通信機能を用いることにより、カメラメモ情報に依存した静止画ファイルの分類を自動的に行い、これによりユーザーによるカメラメモ分類の効率化を図ることを可能にしたデジタルカメラ装置の通信転送装置及び通信転送方法を提供することを目的とする。
【課題を解決するための手段】
【０００５】
請求項１記載の発明は、カメラメモ機能によりカメラメモ情報が添付された静止画ファイルをネットワークを介して受信側のコンピュータにメールの添付ファイルとして転送するデジタルカメラ装置の通信転送装置であって、前記カメラメモ情報に対応したメール送信宛先情報を前記カメラ装置に事前に登録する手段と、メール送信する静止画ファイルを選択する手段と、メール送信する静止画ファイルにカメラメモ情報が添付されているかを判定する手段と、カメラメモ情報が添付されているときは、先に登録されているカメラメモ情報に対応したメール送信宛先情報を検索する手段と、カメラメモ情報に該当したメール送信宛先情報が存在するときは、該当するメール送信宛先に対して静止画ファイルを１添付ファイルとしてメール送信する手段と、メール送信する静止画ファイルが複数選択されたときは、カメラメモ情報が添付されているかの判定処理からメール送信ファイルを全て送信完了するまで繰り返す手段とを有することを特徴とする。
【０００６】
請求項２記載の発明は、カメラメモ機能によりカメラメモ情報が添付された静止画ファイルをネットワークを介して受信側のコンピュータにメールの添付ファイルとして転送するデジタルカメラ装置の通信転送装置であって、前記カメラメモ情報に対応したメール送信宛先情報を前記カメラ装置に事前に登録する手段と、メール送信する静止画ファイルを選択する手段と、メール送信する静止画ファイルにカメラメモ情報が添付されているかを判定する手段と、カメラメモ情報が添付されているときは、カメラメモ情報を読込み、先に登録されているカメラメモ情報に対応したメール送信宛先情報を検索する手段と、カメラメモ情報に該当したメール送信宛先情報が存在するときは、その情報をメモリに格納する手段と、メール送信する静止画ファイルが複数選択されたときは、カメラメモ情報が添付されているかの判定処理からカメラメモ情報に対応したメール送信宛先情報を検索する処理を繰り返す手段と、全ての静止画ファイルの検索処理が完了したとき、該当するメール送信宛先が同じ場合は、複数の静止画ファイルを１メール複数添付ファイルの形式としてメール送信を送信メールが完了するまで繰り返す手段とを有することを特徴とする。
【０００７】
請求項３記載の発明は、カメラメモ機能によりカメラメモ情報が添付された静止画ファイルをネットワークを介して受信側のコンピュータにメールの添付ファイルとして転送するデジタルカメラ装置の通信転送装置であって、前記カメラメモ情報に対応した分類情報を前記カメラ装置に事前に登録する手段と、メール送信する静止画ファイルを選択する手段と、メール送信する静止画ファイルにカメラメモ情報が添付されているかを判定する手段と、カメラメモ情報が添付されているときは、カメラメモ情報を読込み、先に登録されているカメラメモ情報に対応した分類情報を検索する手段と、カメラメモ情報に該当した分類情報が存在するとき、その情報をメモリに格納する手段と、メール送信する静止画ファイルが複数選択されたときは、カメラメモ情報が添付されているかの判定処理からカメラメモ情報に対応した分類情報を検索する処理を繰り返す手段と、全ての静止画ファイルの検索処理が完了したとき、該当する分類情報が同じ場合は、複数の静止画ファイルを１メール複数添付ファイルの形式として同一宛先のメール送信を送信メールが完了するまで繰り返す手段とを有することを特徴とする。
【０００８】
請求項４記載の発明は、カメラメモ機能によりカメラメモ情報が添付された静止画ファイルをネットワークを介して受信側のコンピュータにＦＴＰ転送するデジタルカメラ装置の通信転送装置であって、前記カメラメモ情報に対応したＦＴＰサーバー送信先情報を前記カメラ装置に事前に登録する手段と、ＦＴＰ送信する静止画ファイルを選択する手段と、ＦＴＰ送信する静止画ファイルにカメラメモ情報が添付されているかを判定する手段と、カメラメモ情報が添付されているときは、カメラメモ情報を読込み、先に登録されているカメラメモ情報に対応したＦＴＰサーバー送信先情報を検索する手段と、カメラメモ情報に該当したＦＴＰサーバー名情報が存在するとき、該当するＦＴＰサーバー送信先にＦＴＰ送信する手段と、ＦＴＰ送信する静止画ファイルが複数選択されたときは、カメラメモ情報が添付されているかの判定処理からＦＴＰ送信ファイルを全て送信完了するまで繰り返す手段とを有することを特徴とする。
【０００９】
請求項５記載の発明は、カメラメモ機能によりカメラメモ情報が添付された静止画ファイルをネットワークを介して受信側のコンピュータにＦＴＰ転送するデジタルカメラ装置の通信転送装置であって、前記カメラメモ情報に対応したＦＴＰディレクトリー情報を前記カメラ装置に事前に登録する手段と、ＦＴＰ送信する静止画ファイルを選択する手段と、ＦＴＰ送信する静止画ファイルにカメラメモ情報が添付されているかを判定する手段と、カメラメモ情報が添付されているときは、カメラメモ情報を読込み、先に登録されているカメラメモ情報に対応したＦＴＰディレクトリー情報を検索する手段と、カメラメモ情報に該当したＦＴＰディレクトリー情報が存在するときは、その情報をメモリに格納する手段と、ＦＴＰ送信する静止画ファイルが複数選択されたときは、カメラメモ情報が添付されているかの判定処理からカメラメモ情報に対応したＦＴＰディレクトリー情報を検索する処理を繰り返す手段とを有することを特徴とする。
【００１０】
請求項６記載の発明は、カメラメモ機能によりカメラメモ情報が添付された静止画ファイルをネットワークを介して受信側のコンピュータにメールの添付ファイルとして転送するデジタルカメラ装置の通信転送方式であって、前記カメラメモ情報に対応したメール送信宛先情報を前記カメラ装置に事前に登録するステップと、メール送信する静止画ファイルを選択するステップと、メール送信する静止画ファイルにカメラメモ情報が添付されているかを判定するステップと、カメラメモ情報が添付されているときは、先に登録されているカメラメモ情報に対応したメール送信宛先情報を検索するステップと、カメラメモ情報に該当したメール送信宛先情報が存在するときは、該当するメール送信宛先に静止画ファイルを１添付ファイルとしてメール送信するステップと、メール送信する静止画ファイルが複数選択されたときは、カメラメモ情報が添付されているかの判定処理からメール送信ファイルを全て送信完了するまで繰り返すステップとを有することを特徴とする。
【００１１】
請求項７記載の発明は、カメラメモ機能によりカメラメモ情報が添付された静止画ファイルをネットワークを介して受信側のコンピュータにメールの添付ファイルとして転送するデジタルカメラ装置の通信転送方法であって、前記カメラメモ情報に対応したメール送信宛先情報を前記カメラ装置に事前に登録するステップと、メール送信する静止画ファイルを選択するステップと、メール送信する静止画ファイルにカメラメモ情報が添付されているかを判定するステップと、カメラメモ情報が添付されているときは、カメラメモ情報を読込み、先に登録されているカメラメモ情報に対応したメール送信宛先情報を検索するステップと、カメラメモ情報に該当したメール送信宛先情報が存在するときは、その情報をメモリに格納するステップと、メール送信する静止画ファイルが複数選択されたときは、カメラメモ情報が添付されているかの判定処理からカメラメモ情報に対応したメール送信宛先情報を検索する処理を繰り返すステップと、全ての静止画ファイルの検索処理が完了したとき、該当するメール送信宛先が同じ場合は、複数の静止画ファイルを１メール複数添付ファイルの形式としてメール送信を送信メールが完了するまで繰り返すステップとを有することを特徴とする。
【００１２】
請求項８記載の発明は、カメラメモ機能によりカメラメモ情報が添付された静止画ファイルをネットワークを介して受信側のコンピュータにメールの添付ファイルとして転送するデジタルカメラ装置の通信転送方法であって、前記カメラメモ情報に対応した分類情報を前記カメラ装置に事前に登録するステップと、メール送信する静止画ファイルを選択するステップと、メール送信する静止画ファイルにカメラメモ情報が添付されているかを判定するステップと、カメラメモ情報が添付されているときは、カメラメモ情報を読込み、先に登録されているカメラメモ情報に対応した分類情報を検索するステップと、カメラメモ情報に該当した分類情報が存在するとき、その情報をメモリに格納するステップと、メール送信する静止画ファイルが複数選択されたときは、カメラメモ情報が添付されているかの判定処理からカメラメモ情報に対応した分類情報を検索する処理を繰り返すステップと、全ての静止画ファイルの検索処理が完了したとき、該当する分類情報が同じ場合は、複数の静止画ファイルを１メール複数添付ファイルの形式として同一宛先のメール送信を送信メールが完了するまで繰り返すステップとを有することを特徴とする。
【００１３】
請求項９記載の発明は、カメラメモ機能によりカメラメモ情報が添付された静止画ファイルをネットワークを介して受信側のコンピュータにＦＴＰ転送するデジタルカメラ装置の通信転送方法であって、前記カメラメモ情報に対応したＦＴＰサーバー送信先情報を前記カメラ装置に事前に登録するステップと、ＦＴＰ信する静止画ファイルを選択するステップと、ＦＴＰ送信する静止画ファイルにカメラメモ情報が添付されているかを判定するステップと、カメラメモ情報が添付されているときは、カメラメモ情報を読込み、先に登録されているカメラメモ情報に対応したＦＴＰサーバー送信先情報を検索するステップと、カメラメモ情報に該当したＦＴＰサーバー名情報が存在するとき、該当するＦＴＰサーバー送信先にＦＴＰ送信するステップと、ＦＴＰ送信する静止画ファイルが複数選択されたときは、カメラメモ情報が添付されているかの判定処理からＦＴＰ送信ファイルを全て送信完了するまで繰り返すステップとを有することを特徴とする。
【００１４】
請求項１０記載の発明は、カメラメモ機能によりカメラメモ情報が添付された静止画ファイルをネットワークを介して受信側のコンピュータにＦＴＰ転送するデジタルカメラ装置の通信転送方法であって、前記カメラメモ情報に対応したＦＴＰディレクトリー情報を前記カメラ装置に事前に登録するステップと、ＦＴＰ送信する静止画ファイルを選択するステップと、ＦＴＰ送信する静止画ファイルにカメラメモ情報が添付されているかを判定するステップと、カメラメモ情報が添付されているときは、カメラメモ情報を読込み、先に登録されているカメラメモ情報に対応したＦＴＰディレクトリー情報を検索するステップと、カメラメモ情報に該当したＦＴＰディレクトリー情報が存在するとき、その情報をメモリに格納するステップと、ＦＴＰ送信する静止画ファイルが複数選択されたときは、カメラメモ情報が添付されているかの判定処理からカメラメモ情報に対応したＦＴＰディレクトリー情報を検索する処理を繰り返すステップとを有することを特徴とする。
【発明の効果】
【００１５】
本発明によれば、送信する静止画ファイルをカメラメモ情報と関連付けて処理を行うため、カメラメモが添付された静止画ファイルをネットワークのメール通信を介して分類送信することができる。これによりユーザーによるカメラメモ分類を効率化することができる。
【発明を実施するための最良の形態】
【００１６】
以下、本発明を図示する実施形態により具体的に説明する。なお、各実施形態において、同一の部材には同一の符号を付して対応させてある。
【００１７】
［第１実施形態］
図１から図７は、本発明の第１実施形態を示し、図１は、この発明に用いられるデジタルカメラ装置のハードウエア構成を示すブロックである。図１に示すデジタルカメラ装置は、ＳＹＳＴＥＭ  ＢＵＳ１と、ＣＰＵ２と、プログラムを格納するＰＲＯＭ３と、プログラムやデータのワーク領域のＲＡＭ４と、撮影された画像ファイルやシステムファイル、データファイルなどを格納する内蔵Ｍｅｍｏｒｙ５と、ハードキーを検出するＫＥＹ  Ｉ／Ｆ制御部６と、シャッターやズームキーなどのハードＫＥＹ７と、カメラ部９と、カメラ部９を制御するカメラ制御部８と、カメラ制御部８から取り込まれた画像をＪＰＥＧに圧縮したり、メモリに格納されているＪＰＥＧデータを解凍する画像圧縮伸張制御部１２と、カメラ制御部８からの画像データや画像圧縮伸張制御部１２からの画像データをＬＣＤ部１１に映像信号として出力する画像制御部１０と、Ｓｅｒｉａｌ  Ｉ／Ｆ制御部１３と、ＵＳＢ  Ｉ／Ｆ制御部１４と、ＣＦ制御部１５と、ＣＦ  Ｉ／Ｆ１６と、ＣＦ  Ｉ／Ｆ１６に挿入されるＭｏｄｅｍ１９と、Ｍｅｍｏｒｙ２０と、無線ＬＡＮ２１と、無線通信カード２２と、受信側のコンピュータとしてＰＣ２６とデジタルカメラ装置とを接続するＵＳＢケーブル２４と、Ｓｅｒｉａｌケーブル２５と、ＳＤ制御部１７と、ＳＤ  Ｉ／Ｆ１８と、ＳＤ  Ｉ／Ｆ１８に挿入される外部記憶媒体としてのＳＤ２３と、ネットワーク２６と接続されているＬＡＮ  Ｉ／Ｆ２７とから構成されている。
【００１８】
通常の撮影は、ハードＫＥＹ７が撮影開始を認識する。カメラ部９で画像を取込む。カメラ部９から出力される画像信号を画像制御部１０がＲＧＢデータや、ＹｃｂＣｒデータなどのフレームデータに変換し必要な画像処理を行った後、画像データをＲＡＭ４に転送する。転送された画像データは画像圧縮伸長制御部１２によりＪＰＥＧなどの画像データに圧縮され再びＲＡＭ４に転送される。ＲＡＭ４に格納されたＪＰＥＧなどの画像データは、必要なヘッダー処理を行った後、内蔵Ｍｅｍｏｒｙ５もしくはＳＤ制御部１７を介してＳＤカード２３に記録される。
【００１９】
カメラメモ機能において、ＳＤカード２３にカメラメモデータが格納されている。デジタルカメラ装置は、電源ＯＮのシステム起動時に、ＳＤカード２３に事前に格納されているカメラメモデータをＲＡＭ４にロードしてシステム内に取込む。取込まれたカメラメモデータはユーザーの操作によって選択可能とする。選択されたカメラメモデータは、上記の撮影処理における必要なヘッダー処理を行う箇所で取込んだ画像情報と共にカメラメモデータとして内蔵Ｍｅｍｏｒｙ５もしくはＳＤ制御部１７を介してＳＤカード２３に記録される。
【００２０】
送信機能において、撮影された静止画ファイルは、内蔵Ｍｅｍｏｒｙ５もしくは、着脱可能なＭｅｍｏｒｙ２０もしくはＳＤ２３に格納される。格納された静止画ファイルは、ＣＦ  Ｉ／Ｆ１６に挿入接続されたＭｏｄｅｍ１９または無線ＬＡＮ２１もしくは無線通信カード２２を用いネットワーク２８を介して接続されているＰＣ２６に静止画ファイルを送信することができる。
【００２１】
図２はこの実施形態のデジタルカメラ装置におけるソフトウエアの構成を示すブロック図である。このデジタルカメラ装置４１のソフトウエアは、アプリケーション４２と、ＦＴＰ  Ｃｌｉｅｎｔ４３と、ＭＩＭＥ４４と、ＳＭＴＰ４５と、ＴＣＰ／ＩＰ４６と、ＬＡＮ  Ｄｒｉｖｅｒ４７と、ＷＬＡＮ  Ｃｏｎｔｒｏｌｌｅｒ４８と、ＰＰＰ／ＤＩＡＬ  ＵＰ４９と、無線通信Ｃｏｎｔｒｏｌｌｅｒ５０とから構成されている。
【００２２】
ＰＣ端末２６は、アプリケーション３１と、ＭＩＭＥ３２と、ＰＯＰ３３と、ＴＣＰ／ＩＰ３４と、ＬＡＮ  Ｄｒｉｖｅｒ３５と、ＬＡＮ  Ｃｏｎｔｒｏｌｌｅｒ３６とから構成されている。デジタルカメラ装置４１とＰＣ端末２６とメールサーバー４０はインターネット等のネットワーク２８を介して接続される。
【００２３】
本実施形態においては、アプリケーション４２からＭＩＭＥ４４と、ＳＭＴＰ４５と、ＴＣＰ／ＩＰ４６と、ＷＬＡＮ  Ｄｒｉｖｅｒ４７と、ＷＬＡＮ  Ｃｏｎｔｒｏｌｌｅｒ４８を用いてメール通信を実現している。送信されたメールはメールサーバー４０に送信される。ＰＣ端末２６は、ＭＩＭＥ３１と、ＰＯＰ３２と、ＴＣＰ／ＩＰ３３と、ＬＡＮ  Ｄｒｉｖｅｒ３４と、ＬＡＮ  Ｃｏｎｔｒｏｌｌｅｒ３５を用いてメールサーバー４０から送信されたメールを受信する。
【００２４】
図３は、本実施形態におけるデジタルカメラ装置４１とメールサーバー４０とのメール通信手順を示す。デジタルカメラ装置４１はメールサーバー４０に接続要求を発行し接続ＯＫが返るのを待つ。次に通信開始要求を送信し開始ＯＫが返るのを待つ。次にメール送信開始要求を発行し開始ＯＫが返るのを待つ。次にメール宛先を送信し受信ＯＫが返るのを待つ。次にメール本文送信要求を発行し送信ＯＫが返るのを待つ。次に任意の数の添付ファイルを添付したメール本文を送信する。送信が終了すると終了通知が返る。複数の宛先に対してメールを送信する場合は、メール送信開始要求から処理を繰り返す。全てのメールを送信し終わると、通信終了要求を発行し、終了ＯＫが返るのを待つ。
【００２５】
図４は、カメラメモデータのフォーマットを示す。カメラメモデータは、中項目部と、小項目部とを有している。図４において［１］会社名、［２］所属事業部、［３］所属部署、［４］担当業務、［５］担当が中項目に該当する。中項目の下には小項目がリンクされる。例えば、図４の［１］会社名の下には、株式会社ＡＡＡ、（株）ＢＢＢ、ＣＣＣ（株）、（株）ＤＤＤ、（株）ＥＥＥ、（株）ＦＦＦ、（株）ＧＧＧ、（株）ＨＨＨが属することを示す。このカメラデータは、上述したように、事前に第１図のＳＤカード２３に格納されている。これに対し、デジタルカメラ装置は、電源ＯＮのシステム起動時に、ＳＤカード２３に事前に格納されているカメラメモデータを図１のＲＡＭ４にロードしてシステム内に取込む。
【００２６】
カメラメモ撮影は、通常撮影のモニタリング表示画面において、図１のハードキー７のレリーズキーを押すことによって撮影が可能となる。カメラメモデータは、図１のＬＣＤユニット１１に表示可能で、現在選択されている中項目、小項目のカメラメモデータの一覧を表示する。カメラメモデータ表示中は、任意の項目を例えば、ハードキー７の上下キー等を使用して選択可能とする。ユーザーは、ＳＤカード２３に登録されているカメラメモデータを使って、静止画ファイルに添付する任意のカメラメモデータを決定し、撮影した静止画ファイルのヘッダー情報に任意のカメラメモデータを設定し、内蔵のＭｅｍｏｒｙ５やＳＤカード２３に格納することが可能となっている。
【００２７】
図５は、請求項１及び６に対応した実施形態の処理のフローチャートであり、図１のハードウエア構成と、図２のソフトウエア構造と、図３のメール通信手順と、図４のカメラメモフォーマットとを有して機能する。そして、カメラメモ機能によりカメラメモ情報が添付された静止画ファイルをネットワーク２８を介してＰＣ２６側にメールの添付ファイルとして転送する。
【００２８】
表１に示すカメラメモ情報に対応したメール送信宛先情報をカメラに事前に登録する。
【００２９】
【表１】
2006252472.tif 000003
【００３０】
表１に示すように、カメラメモ情報に対応したメール送信宛先情報は、カメラメモ情報の中項目、小項目と、それに対応するメール送信宛先とから構成されている。ユーザーはメール送信する静止画ファイルを選択する（ステップＳ１０）。メール送信する静止画ファイルにカメラメモ情報が添付されているか、静止画ファイル格納されている内蔵のＭｅｍｏｒｙ５もしくはＳＤカード２３からファイルを読込み、カメラメモ情報の有／無を判定する（ステップＳ１１）。カメラメモ情報が添付されていない場合は、デフォルト宛先設定を行う（ステップＳ１５）。
【００３１】
カメラメモ情報が添付されている場合は、カメラメモ情報を読込み、先に登録されているカメラメモ情報に対応したメール送信宛先情報を検索する（ステップＳ１２、Ｓ１３）。カメラメモ情報に該当したメール送信宛先情報が存在する場合、該当するメール送信宛先に静止画ファイルを１添付ファイルとしてメール送信する（ステップＳ１４）。該当するメール送信宛先が複数存在する場合は、該当するメール送信宛先に静止画ファイルを１添付ファイルとして同時にメール送信する。メール送信する静止画ファイルが複数選択された場合は、カメラメモ情報が添付されているかの判定処理からメール送信ファイルを全て送信完了するまで繰り返す（ステップＳ１６）。
【００３２】
以上の処理を実行することによって、カメラメモが添付された静止画ファイルをインターネット等のネットワークのメール通信を用いて分類送信することができる。
【００３３】
図６は請求項２及び７に対応した実施形態の処理のフローチャートであり、図１のハードウエア構成と、図２のソフトウエア構造と、図３のメール通信手順と、図４のカメラメモフォーマットとを有して機能する。そして、カメラメモ機能によりカメラメモ情報が添付された静止画ファイルをネットワーク２８を介してＰＣ２６側にメールの添付ファイルとして転送する。また、上述と同様に、カメラメモ情報に対応したメール送信宛先情報をカメラに事前に登録する。
【００３４】
ユーザーはメール送信する静止画ファイルを選択する（ステップＳ２０）。メール送信する静止画ファイルにカメラメモ情報が添付されているか、静止画ファイル格納されている内蔵のＭｅｍｏｒｙ５もしくはＳＤカード２３からファイルを読込み、カメラメモ情報の有／無を判定する（ステップＳ２１）。カメラメモ情報が添付されていない場合は、デフォルト宛先設定を行う（ステップＳ２７）。
【００３５】
カメラメモ情報が添付されている場合は、カメラメモ情報を読込み、先に登録されているカメラメモ情報に対応したメール送信宛先情報を検索する（ステップＳ２１）。カメラメモ情報に該当したメール送信宛先情報が存在する場合、その情報をＲＡＭ４に格納する。メール送信する静止画ファイルが複数選択された場合は、カメラメモ情報が添付されているかの判定処理からカメラメモ情報に対応したメール送信宛先情報を検索する処理を繰り返す（ステップＳ２２〜Ｓ２５）。
【００３６】
全ての静止画ファイルの検索処理が完了したとき、該当するメール送信宛先が同じ場合は、複数の静止画ファイルを１メール複数添付ファイルの形式としてのメール送信を送信メールが完了するまで繰り返す（ステップＳ２６）。
【００３７】
以上の処理を実行することによって、カメラメモが添付された静止画ファイルをネットワークのメール通信を用いて分類送信することができる。
【００３８】
図７は、請求項３及び８に対応した実施形態の処理のフローチャートであり、図１のハードウエア構成と、図２のソフトウエア構造と、図３のメール通信手順と、図４のカメラメモフォーマットとを有して機能する。そして、カメラメモ機能によりカメラメモ情報が添付された静止画ファイルをネットワーク２８を介してＰＣ２６側にメールの添付ファイルとして転送する。
【００３９】
表２に示すカメラメモ情報に対応したメール送信宛先情報をカメラに事前に登録する。
【００４０】
【表２】
2006252472.tif 000004
【００４１】
表２に示すように、カメラメモ情報に対応した分類情報は、カメラメモ情報の中項目、小項目と、それに対応する分類とから構成されている。
【００４２】
図７に示すように、ユーザーはメール送信する静止画ファイルを選択する（ステップＳ３１）。メール送信する静止画ファイルにカメラメモ情報が添付されているか、静止画ファイル格納されている内蔵Ｍｅｍｏｒｙ５もしくはＳＤカード２３からファイルを読込み、カメラメモ情報の有／無を判定する（ステップＳ３２）。カメラメモ情報が添付されていない場合は、デフォルト宛先設定を行う（ステップＳ３８）。
【００４３】
カメラメモ情報が添付されている場合は、カメラメモ情報を読込み、先に登録されているカメラメモ情報に対応した分類情報を検索する（ステップＳ３３）。カメラメモ情報に該当した分類情報が存在する場合、その情報をＲＡＭ４に格納する。メール送信する静止画ファイルが複数選択された場合は、カメラメモ情報が添付されているかの判定処理からカメラメモ情報に対応した分類情報を検索する処理を繰り返す（ステップＳ３４〜Ｓ３５）。
【００４４】
全ての静止画ファイルの検索処理が完了したとき、該当する分類情報が同じ場合は、複数の静止画ファイルを１メール複数添付ファイルの形式として同一宛先のメール送信を送信メールが完了するまで繰り返す（ステップＳ３７）。
【００４５】
以上の処理を実行することによって、カメラメモが添付された静止画ファイルをネットワークのメール通信を用いて分類送信することができる。
【００４６】
［第２実施形態］
図８は、本実施形態におけるデジタルカメラ装置のハードウエア構成のブロック図である。デジタルカメラ装置４１のソフトウエアは、アプリケーション４２と、ＦＴＰ  Ｃｌｉｅｎｔ４３と、ＭＩＭＥ４４と、ＳＭＴＰ４５と、ＴＣＰ／ＩＰ４６と、ＬＡＮ  Ｄｒｉｖｅｒ４７と、ＷＬＡＮ  Ｃｏｎｔｒｏｌｌｅｒ４８と、ＰＰＰ／ＤＩＡＬ  ＵＰ４９と、無線通信Ｃｏｎｔｒｏｌｌｅｒ５０とから構成されている。
【００４７】
ＰＣ端末２６は、アプリケーション６１と、ＦＴＰ  Ｓｅｒｖｅｒ６２と、ＴＣＰ／ＩＰ６３と、ＬＡＮ  Ｄｒｉｖｅｒ６４と、ＬＡＮ  Ｃｏｎｔｒｏｌｌｅｒ６５から構成されている。デジタルカメラ装置４１と、ＰＣ端末２６は、ネットワーク２８を介して接続されている。
【００４８】
本実施形態においては、アプリケーション４２からＦＴＰ  Ｃｌｉｅｎｔ４３と、ＴＣＰ／ＩＰ４６と、ＷＬＡＮ  Ｄｒｉｖｅｒ４７と、ＷＬＡＮ  Ｃｏｎｔｒｏｌｌｅｒ４８とを用いることによりＦＴＰ通信のクライアント側の通信が構成される。ＰＣ端末２６では、ＦＴＰ  Ｓｅｒｖｅｒ６２と、ＴＣＰ／ＩＰ６３と、ＬＡＮ  Ｄｒｉｖｅｒ６４と、ＬＡＮ  Ｃｏｎｔｒｏｌｌｅｒ６５とを用いることによりＦＴＰ通信のサーバー側の通信が構成される。
【００４９】
図９は、本実施形態のデジタルカメラ装置４１と、ＰＣ端末０１〜ＮのＦＴＰ通信手順を示す。デジタルカメラ装置は、接続先のＰＣ端末に接続要求を発行し接続ＯＫが返るのを待つ。次にユーザー名を送信しユーザー名ＯＫが返るのを待つ。次にパスワードを送信しユーザーログインＯＫが返るのを待つ。以上の手順が終了することによって、ＦＴＰ通信の接続が完了する。
【００５０】
次にファイル一覧要求を送信しファイル一覧が返るのを待つ。ファイル一覧を受信したらサーバー側でディレクトリ名が重ならないように新規ディレクトリの作成を要求しディレクトリ作成ＯＫが返るのを待つ。次に転送先のディレクトリ移動する要求を送信しディレクトリ移動ＯＫが返るのを待つ。以上の手順が終了すると、デジタルカメラ装置側から送信される静止画ファイルや、音声ファイルの転送先のディレクトリの決定と移動が完了する。次にデジタルカメラ装置内の静止画ファイルや、音声ファイルを任意の数だけ送信する。送信が完了したとき、切断要求を発行して通信を終了する。
【００５１】
図１０は、請求項４及び９に対応した実施形態の処理のフローチャートであり、図１のハードウエア構成と、図８のソフトウエア構造と、図９のＦＴＰ通信手順と、図４のカメラメモフォーマットとを有して機能する。そして、カメラメモ機能によりカメラメモ情報が添付された静止画ファイルをネットワーク２８を介してＰＣ２６側にＦＴＰ転送する。
【００５２】
表３に示すカメラメモ情報に対応したメール送信宛先情報をカメラに事前に登録する。
【００５３】
【表３】
2006252472.tif 000005
【００５４】
表３に示すように、カメラメモ情報に対応したＦＴＰサーバー情報は、カメラメモ情報の中項目、小項目と、それに対応するＦＴＰサーバー名とから構成されている。
【００５５】
図１０に示すように、ユーザーはＦＴＰ信する静止画ファイルを選択する（ステップＳ４０）。ＦＴＰ送信する静止画ファイルにカメラメモ情報が添付されているか、静止画ファイル格納されている内蔵のＭｅｍｏｒｙ５もしくはＳＤカード２３からファイルを読込み、カメラメモ情報の有／無を判定する（ステップＳ４１）。カメラメモ情報が添付されていない場合は、デフォルト宛先設定を行う（ステップＳ４６）。
【００５６】
カメラメモ情報が添付されている場合は、カメラメモ情報を読込み、先に登録されているカメラメモ情報に対応したＦＴＰサーバー名情報を検索する（ステップＳ４２）。カメラメモ情報に該当したＦＴＰサーバー名情報が存在する場合、該当するＦＴＰサーバー送信先にＦＴＰ送信する。該当するＦＴＰサーバー送信先が複数存在する場合は、該当するＦＴＰサーバー送信宛先にＦＴＰ送信する（ステップＳ４３、Ｓ４４）。ＦＴＰ送信する静止画ファイルが複数選択された場合は、カメラメモ情報が添付されているかの判定処理からＦＴＰ送信ファイルを全て送信完了するまで繰り返す（ステップＳ４５）。
【００５７】
以上の処理を実行することによって、カメラメモが添付された静止画ファイルをネットワークのＦＴＰ通信を用いて分類送信することができる。
【００５８】
図１１は請求項５及び１０に対応した処理のフローチャートであり、図１のハードウエア構成と、図８のソフトウエア構造と、図９のＦＴＰ通信手順と、図４のカメラメモフォーマットとを有して機能する。そして、カメラメモ機能によりカメラメモ情報が添付された静止画ファイルをネットワーク２８を介してＰＣ２６側にＦＴＰ転送する。
【００５９】
表４に示すカメラメモ情報に対応したメール送信宛先情報をカメラに事前に登録する。
【００６０】
【表４】
2006252472.tif 000006
【００６１】
表４に示すように、カメラメモ情報に対応したＦＴＰディレクトリー情報は、カメラメモ情報の中項目、小項目と、それに対応するＦＴＰディレクトリー情報とから構成されている。
【００６２】
図１１に示すように、ユーザーはＦＴＰ送信する静止画ファイルを選択する（ステップＳ５０）。ＦＴＰ送信する静止画ファイルにカメラメモ情報が添付されているか、静止画ファイル格納されている内蔵のＭｅｍｏｒｙ５もしくはＳＤカード２３からファイルを読込み、カメラメモ情報の有／無を判定する（ステップＳ５１）。カメラメモ情報が添付されていない場合は、デフォルト宛先設定を行う（ステップＳ５６）。
【００６３】
カメラメモ情報が添付されている場合は、カメラメモ情報を読込み、先に登録されているカメラメモ情報に対応したＦＴＰディレクトリー情報を検索する（ステップＳ５２）。カメラメモ情報に該当したＦＴＰディレクトリー情報が存在する場合、その情報をＲＡＭ４に格納する。ＦＴＰ送信する静止画ファイルが複数選択された場合は、カメラメモ情報が添付されているかの判定処理からカメラメモ情報に対応したＦＴＰディレクトリー情報を検索する処理を繰り返す（ステップＳ５２，Ｓ５３，Ｓ５４）。そして、全ての静止画ファイルの検索処理が完了したとき、ＦＴＰ送信を開始する（ステップＳ５５）。
【００６４】
以上の処理を実行することによって、カメラメモが添付された静止画ファイルをインターネットのＦＴＰ通信を用いてを用いて分類送信することができる。
【図面の簡単な説明】
【００６５】
【図１】本実施形態のデジタルカメラ装置のハードウエア構成を示すブロック図である。
【図２】第１実施形態のソフトウエア構成を示すブロック図である。
【図３】第１実施形態におけるデジタルカメラ装置とメールサーバとのメール通信手順を示すチャートである。
【図４】カメラメモデータのフォーマットを示す正面図である。
【図５】第１実施形態における第１の処理を示すフローチャートである。
【図６】第１実施形態における第２の処理を示すフローチャートである。
【図７】第１実施形態における第３の処理を示すフローチャートである。
【図８】第２実施形態のソフトウエア構成を示すブロック図である。
【図９】第２実施形態におけるデジタルカメラ装置とメールサーバとのＦＴＰ通信手順を示すチャートである。
【図１０】第２実施形態における第１の処理を示すフローチャートである。
【図１１】第２実施形態における第２の処理を示すフローチャートである。
【符号の説明】
【００６６】
４    ＲＡＭ
５    内蔵メモリ
７    ハードキー
２３    ＳＤメモリ
２６    ＰＣ端末
２８    ネットワーク
４１    デジタルカメラ装置
【図１】
2006252472.tif 000007
【図２】
2006252472.tif 000008
【図３】
2006252472.tif 000009
【図４】
2006252472.tif 000010
【図５】
2006252472.tif 000011
【図６】
2006252472.tif 000012
【図７】
2006252472.tif 000013
【図８】
2006252472.tif 000014
【図９】
2006252472.tif 000015
【図１０】
2006252472.tif 000016
【図１１】
2006252472.tif 000017